(57)【要約】【課題】マルチヘッドを用いて双方向記録を行う際、筋状の画質不良が発生することを抑制する。【解決手段】被記録媒体Ｐの搬送方向Ａにインクを吐出するノズルＮが並べられたノズル列１０ａ、１０ｂを有する第１記録ヘッド９ａと第２記録ヘッド９ｂとを該第１記録ヘッド９ａのノズル列１０ａと該第２記録ヘッド９ｂのノズル列１０ｂとが搬送方向Ａに境界部２５を構成するように配置し、第１記録ヘッド９ａ及び第２記録ヘッド９ｂが搬送方向Ａと交差する方向Ｂに往復移動して双方向記録をするマルチヘッド６を備え、境界部２５のノズルから吐出する単位時間当たりのインク量を、前記双方向記録における一方向の記録と前記双方向記録における他方向の記録とで異ならせる。【選択図】図５
2015066716.tif 000002
【特許請求の範囲】
【請求項１】
インクを吐出するノズルが、被記録媒体の搬送方向に並べられたノズル列を有する第１記録ヘッドと第２記録ヘッドとが、前記記録媒体の搬送方向に交差する方向に並設され、且つ該第１記録ヘッドのノズル列と該第２記録ヘッドのノズル列とが前記搬送方向に近接する境界部を構成するように配置し、
前記第１記録ヘッド及び前記第２記録ヘッドが、前記搬送方向と交差する方向に往復移動して双方向記録をするマルチヘッドを備え、
前記境界部のノズルから吐出する単位時間当たりのインク量を、前記双方向記録における一方向の記録と前記双方向記録における他方向の記録とで異ならせることを特徴とする記録装置。
【請求項２】
請求項１に記載の記録装置において、
前記境界部のノズルの使用率を変えることにより、前記境界部のノズルから吐出する単位時間当たりのインク量を、前記双方向記録における一方向の記録と前記双方向記録における他方向の記録とで異ならせることを特徴とする記録装置
【請求項３】
請求項１又は２に記載の記録装置において、
前記第１記録ヘッド及び前記第２記録ヘッドの少なくとも一方において、前記一方向の記録の際、前記境界部のノズルから吐出する単位時間当たりのインク量を前記境界部以外のノズルから吐出する単位時間当たりのインク量と異ならせることを特徴とする記録装置。
【請求項４】
請求項１から３のいずれか１項に記載の記録装置において、
前記境界部のノズルから吐出する単位時間当たりインク量は、前記マルチヘッドのホームポジション側から他方側に向かう方向の記録の際よりも、逆方向の記録の際の方が多いことを特徴とする記録装置。
【請求項５】
請求項１から３のいずれか１項に記載の記録装置において、
前記境界部のノズルから吐出する単位時間当たりのインク量は、前記マルチヘッドのホームポジション側から他方側に向かう方向の記録の際よりも、逆方向の記録の際の方が少ないことを特徴とする記録装置。
【請求項６】
請求項１から５のいずれか１項に記載の記録装置において、
前記第１記録ヘッド及び前記第２記録ヘッドは、前記搬送方向に交差する方向から見てノズルが一部重なるように配置されていることを特徴とする記録装置。
【請求項７】
請求項１から６のいずれか１項に記載の記録装置において、
対向する前記マルチヘッドと前記被記録媒体との間隔に応じて、前記境界部のノズルから吐出する単位時間当たりのインク量を、前記一方向の記録と前記他方向の記録とで異ならせることを特徴とする記録装置。
【請求項８】
インクを吐出するノズルが、被記録媒体の搬送方向に並べられたノズル列を有する第１記録ヘッドと第２記録ヘッドとが、前記記録媒体の搬送方向に交差する方向に並設され、且つ該第１記録ヘッドのノズル列と該第２記録ヘッドのノズル列とが前記搬送方向に近接する境界部を構成するように配置し、
前記第１記録ヘッド及び前記第２記録ヘッドが、前記搬送方向と交差する方向に往復移動して双方向記録をするマルチヘッドを用いて、
前記境界部のノズルから吐出する単位時間当たりのインク量を、前記双方向記録における一方向の記録と前記双方向記録における他方向の記録とで異ならせて前記双方向記録をすることを特徴とする記録方法。
【発明の詳細な説明】
【技術分野】
【０００１】
本発明は、記録装置及び記録方法に関する。
【背景技術】
【０００２】
従来から、複数の記録ヘッドを有するマルチヘッドを備える記録装置が使用されている。このうち、例えば、特許文献１に開示されるように、複数の記録ヘッドを被記録媒体の搬送方向にずらして配置し、前記搬送方向と交差する方向に往復移動して双方向記録をするマルチヘッドを備える記録装置が使用されている。  
一方、近年、様々な種類の被記録媒体に記録をすることができる記録装置が使用されている。
【先行技術文献】
【特許文献】
【０００３】
【特許文献１】特開２００７−９８８６６号公報
【発明の概要】
【発明が解決しようとする課題】
【０００４】
上記のように、近年、様々な種類の被記録媒体に記録をすることができる記録装置が使用されているが、このような記録装置においては、様々な種類の被記録媒体に対応するため、対向する記録ヘッド（マルチヘッド）と被記録媒体との間隔である所謂ペーパーギャップ（ＰＧ）を大きくとる必要が生じている。  
しかしながら、ＰＧを大きくとると記録ヘッドから吐出されるインクの被記録媒体への着弾位置がずれ易い。このため、ＰＧを広くとると、従来の、複数の記録ヘッドを被記録媒体の搬送方向にずらして配置し、前記搬送方向と交差する方向に往復移動して双方向記録をするマルチヘッドを備える記録装置においては、該マルチヘッドの各記録ヘッド間の境界部により記録された部分に、筋状の画質不良が発生するという新たな課題があることを発明者等が発見した。
【０００５】
そこで、本発明の目的は、マルチヘッドを用いて双方向記録を行う際、筋状の画質不良が発生することを抑制することである。
【課題を解決するための手段】
【０００６】
上記課題を解決するための本発明の第１の記録装置は、インクを吐出するノズルが、前記被記録媒体の搬送方向に並べられたノズル列を有する第１記録ヘッドと第２記録ヘッドとが、前記記録媒体の搬送方向に交差する方向に並設され、且つ該第１記録ヘッドのノズル列と該第２記録ヘッドのノズル列とが前記搬送方向に近接する境界部を構成するように配置し、前記第１記録ヘッド及び前記第２記録ヘッドが、前記搬送方向と交差する方向に往復移動して双方向記録をするマルチヘッドを備え、前記境界部のノズルから吐出する単位時間当たりのインク量を、前記双方向記録における一方向の記録と前記双方向記録における他方向の記録とで異ならせることを特徴とする。
【０００７】
ここで、「境界部のノズル」とは、前記第１記録ヘッド及び前記第２記録ヘッドの該境界部側の１ノズル分ずつのみを意味するのではなく、例えば５ノズル分ずつなどの数ノズル分ずつも含む意味である。  
また、「該第１記録ヘッドのノズル列と該第２記録ヘッドのノズル列とが前記搬送方向に近接する境界部を構成する」とは、前記第１記録ヘッドのノズル列と前記第２記録ヘッドのノズル列とが、前記搬送方向に交差する方向から見て重なるように配置される構成の他、両者が離れすぎていなければ前記搬送方向に交差する方向から見て重なっていない配置の構成も含む意味である。  
本態様によれば、前記境界部のノズルから吐出する単位時間当たりのインク量を、前記一方向の記録と前記他方向の記録とで異ならせる。すなわち、ＰＧを大きくとることにより、前記境界部における前記第１記録ヘッドから吐出されるインクと前記第２記録ヘッドから吐出されるインクとが重なり、色の濃い筋状の画質不良（黒筋）が発生する場合は、該境界部のノズルから吐出する単位時間当たりのインク量を減らすことができる。一方、ＰＧを大きくとることにより、前記境界部における前記第１記録ヘッドから吐出されるインクと前記第２記録ヘッドから吐出されるインクとが離れ、色の薄い筋状の画質不良（白筋）が発生する場合は、該境界部のノズルから吐出する単位時間当たりのインク量を増やすことができる。このため、マルチヘッドを用いて双方向記録を行う際、筋状の画質不良が発生することを抑制することができる。
【０００８】
本発明の第２の態様の記録装置は、前記第１の態様において、前記境界部のノズルの使用率を変えることにより、前記境界部のノズルから吐出する単位時間当たりのインク量を、前記双方向記録における一方向の記録と前記双方向記録における他方向の記録とで異ならせることを特徴とする。
【０００９】
ここで、「前記一方向の記録」とは、前記双方向記録における往方向の記録又は復方向の記録の何れでもよい意味である。  
本態様によれば、前記境界部のノズルの使用率を変えることにより、前記境界部のノズルから吐出する単位時間当たりのインク量を、前記双方向記録における一方向の記録と前記双方向記録における他方向の記録とで異ならせる。このため、このような簡単な方法により、マルチヘッドを用いて双方向記録を行う際、筋状の画質不良が発生することを抑制することができる。
【００１０】
本発明の第３の態様の記録装置は、前記第１又は第２の態様において、前記第１記録ヘッド及び前記第２記録ヘッドの少なくとも一方において、前記一方向の記録の際、前記境界部のノズルから吐出する単位時間当たりのインク量を前記境界部以外のノズルから吐出する単位時間当たりのインク量と異ならせることを特徴とする。
【００１１】
本態様によれば、前記第１記録ヘッド及び前記第２記録ヘッドの少なくとも一方において、前記一方向の記録の際、前記境界部のノズルから吐出する単位時間当たりのインク量を前記境界部以外のノズルから吐出する単位時間当たりのインク量と異ならせる。このため、このような簡単な方法により、マルチヘッドを用いて双方向記録を行う際、筋状の画質不良が発生することを抑制することができる。
【００１２】
本発明の第４の態様の記録装置は、前記第１から第３のいずれか１つの態様において、前記境界部のノズルから吐出する単位時間当たりのインク量は、前記マルチヘッドのホームポジション側から他方側に向かう方向の記録の際よりも、逆方向の記録の際の方が多いことを特徴とする。
【００１３】
ここで、「前記マルチヘッドのホームポジション」とは、前記マルチヘッドの記録開始時における待機位置を意味する。  
本態様によれば、前記境界部のノズルから吐出する単位時間当たりのインク量は、前記マルチヘッドのホームポジション側から他方側に向かう方向の記録の際よりも、逆方向の記録の際の方が多い。すなわち、前記往復移動に伴う往方向の記録の際よりも、前記往復移動に伴う復方向の記録の際に前記境界部のノズルから吐出する単位時間当たりのインク量を多くする。このため、例えば、前記往方向の記録の際に黒筋が発生する場合に、前記往方向の記録の際に前記境界部のノズルから吐出する単位時間当たりのインク量を前記復方向の記録の際よりも少なくしてこれを解消することができる。一方、例えば、前記復方向の記録の際に白筋が発生する場合に、前記復方向の記録の際に前記境界部のノズルから吐出する単位時間当たりのインク量を前記往方向の記録の際よりも多くしてこれを解消することができる。
【００１４】
本発明の第５の態様の記録装置は、前記第１から第３のいずれか１つの態様において、前記境界部のノズルから吐出する単位時間当たりのインク量は、前記マルチヘッドのホームポジション側から他方側に向かう方向の記録の際よりも、逆方向の記録の際の方が少ないことを特徴とする。
【００１５】
本態様によれば、前記境界部のノズルから吐出する単位時間当たりのインク量は、前記マルチヘッドのホームポジション側から他方側に向かう方向の記録の際よりも、逆方向の記録の際の方が少ない。すなわち、前記往復移動に伴う往方向の記録の際よりも、前記往復移動に伴う復方向の記録の際に前記境界部のノズルから吐出する単位時間当たりのインク量を少なくする。このため、例えば、前記往方向の記録の際に白筋が発生する場合に、前記往方向の記録の際に前記境界部のノズルから吐出する単位時間当たりのインク量を前記復方向の記録の際よりも多くしてこれを解消することができる。一方、例えば、前記復方向の記録の際に黒筋が発生する場合に、前記復方向の記録の際に前記境界部のノズルから吐出する単位時間当たりのインク量を前記往方向の記録の際よりも少なくしてこれを解消することができる。
【００１６】
本発明の第６の態様の記録装置は、前記第１から第５のいずれか１つの態様において、前記第１記録ヘッド及び前記第２記録ヘッドは、前記搬送方向に交差する方向からみて、ノズルが一部重なるように配置されていることを特徴とする。
【００１７】
本態様によれば、前記第１から第４のいずれか１つの態様において、前記第１記録ヘッド及び前記第２記録ヘッドは、前記搬送方向にノズルが一部重なるように配置されている。このため、白筋が発生する場合に、該境界部のノズルから吐出する単位時間当たりのインク量を、重なるように配置されているノズルによって簡単に増やすことができる。このため、マルチヘッドを用いて双方向記録を行う際、筋状の画質不良が発生することを簡単に抑制することができる。
【００１８】
本発明の第７の態様の記録装置は、前記第１から第６のいずれか１つの態様において、対向する前記マルチヘッドと前記被記録媒体との間隔に応じて、前記境界部のノズルから吐出する単位時間当たりのインク量を、前記一方向の記録と前記他方向の記録とで異ならせることを特徴とする。
【００１９】
本態様によれば、対向する前記マルチヘッドと前記被記録媒体との間隔（ＰＧ）に応じて、前記境界部のノズルから吐出する単位時間当たりのインク量を、前記一方向の記録と前記他方向の記録とで異ならせる。すなわち、ＰＧに対応して、前記一方向の記録と前記他方向の記録とで異ならせる。このため、ＰＧが大きい場合は、筋状の画質不良が発生しやすいので、前記境界部のノズルから吐出する単位時間当たりのインク量を、前記一方向の記録と前記他方向の記録とで大きく異ならせることができる。一方、ＰＧが狭い場合は、筋状の画質不良が発生しにくいので、前記境界部のノズルから吐出する単位時間当たりのインク量を、前記一方向の記録と前記他方向の記録とで小さく異ならせる又は同じにすることができる。
【００２０】
本発明の第８の態様の記録方法は、インクを吐出するノズルが、被記録媒体の搬送方向に並べられたノズル列を有する第１記録ヘッドと第２記録ヘッドとが、前記記録媒体の搬送方向に交差する方向に並設され、且つ該第１記録ヘッドのノズル列と該第２記録ヘッドのノズル列とが前記搬送方向に近接する境界部を構成するように配置し、前記第１記録ヘッド及び前記第２記録ヘッドが、前記搬送方向と交差する方向に往復移動して双方向記録をするマルチヘッドを用いて、前記境界部のノズルから吐出する単位時間当たりのインク量を、前記双方向記録における一方向の記録と前記双方向記録における他方向の記録とで異ならせて前記双方向記録をすることを特徴とする。
【００２１】
本態様によれば、前記境界部のノズルから吐出する単位時間当たりのインク量を、前記一方向の記録と前記他方向の記録とで異ならせる。すなわち、ＰＧを大きくとることにより、前記境界部における前記第１記録ヘッドから吐出されるインクと前記第２記録ヘッドから吐出されるインクとが重なり、黒筋が発生する場合は、該境界部のノズルから吐出する単位時間当たりのインク量を減らすことができる。一方、ＰＧを大きくとることにより、前記境界部における前記第１記録ヘッドから吐出されるインクと前記第２記録ヘッドから吐出されるインクとが離れ、白筋が発生する場合は、該境界部のノズルから吐出する単位時間当たりのインク量を増やすことができる。このため、マルチヘッドを用いて双方向記録を行う際、筋状の画質不良が発生することを抑制することができる。
【図面の簡単な説明】
【００２２】
【図１】本発明の一実施例に係る記録装置を表す概略側面図。
【図２】本発明の一実施例に係る記録装置のマルチヘッドを表す概略背面図。
【図３】本発明の一実施例に係る記録装置のブロック図。
【図４】筋状の画質不良が発生するメカニズムを説明するための図。
【図５】筋状の画質不良が発生するメカニズムを説明するための図。
【図６】黒筋の概念図。
【図７】黒筋を抑制するために境界部における使用ノズルを表す図。
【図８】白筋の概念図。
【図９】白筋を抑制するために境界部における使用ノズルを表す図。
【発明を実施するための形態】
【００２３】
以下に、本発明の一実施例に係る記録装置について、添付図面を参照して詳細に説明する。
【００２４】
図１は、本発明の一実施例に係る記録装置１を表す概略側面図である。  
本実施例の記録装置１は、回転方向Ｃに回転する搬送ローラー３と従動ローラー４に張架され、被記録媒体Ｐを支持して搬送方向Ａに搬送する粘着性ベルト２を備えている。  
ここで、「粘着性ベルト」とは、被記録媒体を支持する面に該被記録媒体を剥離可能に接着して保持する粘着剤が塗られたベルトを意味する。
【００２５】
また、粘着性ベルト２による被記録媒体Ｐの搬送経路には、被記録媒体Ｐにインクを吐出する第１記録ヘッド９ａ（図２参照）と第２記録ヘッド９ｂ（図２参照）とを搬送方向Ａにずらして配置し、搬送方向Ａと交差する方向Ｂに往復移動して第１記録ヘッド９ａ及び第２記録ヘッド９ｂにより双方向記録をするマルチヘッド６が備えられている。記録装置１は、キャリッジ５を介して方向Ｂにマルチヘッド６を往復移動させながら、マルチヘッド６（第１記録ヘッド９ａ及び第２記録ヘッド９ｂ）のインク吐出面Ｆから被記録媒体Ｐにインクを吐出させて所望の画像を形成する。
【００２６】
本実施例の記録装置１では、被記録媒体Ｐは、所定の範囲内で粘着性ベルト２から剥離され、所定の位置に固定された従動ローラー７を介して、巻取部８により巻き取られる。なお、巻取部８は、被記録媒体Ｐを巻き取る際、回転方向Ｃに被記録媒体Ｐを回転させる。  
ただし、このような構成の搬送機構を有する記録装置に限定されず、例えば、被記録媒体Ｐを搬送ローラー対で挟持して搬送する構成の記録装置であってもよい。
【００２７】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。
【００２８】
次に、本実施例の記録装置１におけるマルチヘッド６について詳細に説明する。  
図２は、本実施例の記録装置１のマルチヘッド６を表す概略背面図である。  
本実施例のマルチヘッド６は、被記録媒体Ｐの搬送方向Ａにインクを吐出するノズルＮ（図７及び図９参照）が並べられたノズル列１０ａ、１０ｂを有する第１記録ヘッド９ａと第２記録ヘッド９ｂとを該第１記録ヘッド９ａのノズル列１０ａと該第２記録ヘッド９ｂのノズル列１０ｂとが搬送方向Ａに近接する境界部２５を構成するように配置している。また、第１記録ヘッド９ａ及び第２記録ヘッド９ｂが搬送方向Ａと交差する方向Ｂに往復移動して双方向記録をする。
【００２９】
なお、後述するが、境界部２５のノズルＮから吐出する単位時間当たりのインク量を、前記双方向記録における一方向（例えば、マルチヘッド６の往復移動方向Ｂのうちの往方向Ｂ１）の記録と、前記双方向記録における他方向（例えば、マルチヘッド６の往復移動方向Ｂのうちの復方向Ｂ２）の記録とで異ならせる。  
ここで、「境界部２５のノズルＮ」とは、第１記録ヘッド９ａ及び第２記録ヘッド９ｂの該境界部側の１ノズル分ずつのみを意味するのではなく、例えば５ノズル分ずつなどの数ノズル分ずつも含む意味である。  
また、本実施例の記録装置１は、ノズル列１０ａとノズル列１０ｂとが、搬送方向Ａに交差する方向（Ｂ１またはＢ２の方向）からみて重なるように配置される（オーバーラップ領域Ｏを有する）構成であるが、両者が離れすぎていなければ搬送方向Ａに交差する方向（Ｂ１またはＢ２の方向）からみて重なっていない配置の構成であってもよい。  
このように、本実施例の記録装置１は、境界部２５のノズルＮから吐出する単位時間当たりのインク量を、前記一方向の記録と前記他方向の記録とで異ならせる。すなわち、ＰＧを大きくとることにより、境界部２５における第１記録ヘッド９ａから吐出されるインクと第２記録ヘッド９ｂから吐出されるインクとが重なり、色の濃い筋状の画質不良（黒筋）が発生する場合は、該境界部２５のノズルＮから吐出する単位時間当たりのインク量を減らすことができる。一方、ＰＧを大きくとることにより、境界部２５における第１記録ヘッド９ａから吐出されるインクと第２記録ヘッド９ｂから吐出されるインクとが離れ、色の薄い筋状の画質不良（白筋）が発生する場合は、該境界部２５のノズルＮから吐出する単位時間当たりのインク量を増やすことができる。このため、マルチヘッド６を用いて双方向記録を行う際、筋状の画質不良が発生することを抑制することができる構成になっている。
【００３０】
また、図２のオーバーラップ領域Ｏで表されるように、第１記録ヘッド９ａ及び第２記録ヘッド９ｂは、搬送方向Ａから交差する方向から見てノズルＮが一部重なるように配置されている。  
このため、後述するが、往方向Ｂ１の記録と復方向Ｂ２の記録により白筋が発生する場合に、境界部２５のノズルＮから吐出する単位時間あたりのインク量を、重なるように配置されているノズルによって簡単に増やすことができる。このため、マルチヘッドを用いて双方向記録を行う際、筋状の画質不良が発生することを簡単に抑制することができる。
【００３１】
なお、本実施例のマルチヘッド６は、第１記録ヘッド９ａと第２記録ヘッド９ｂとを有しているが、第１記録ヘッド９ａには、本実施例の記録装置１が搭載するブラック、シアン、マゼンタ及びイエローに各インクに対応して設けられた４つのノズル列１０ａが設けられている。また、第２記録ヘッド９ｂには、前記各インクに対応して設けられた４つのノズル列１０ｂが設けられている。  
ただし、このような構成に限定されず、これらのインクのうちの一部のみを搭載する構成としてもよいし、さらに他の色のインクを搭載する構成としてもよい。
【００３２】
第１記録ヘッド９ａの復方向Ｂ２において先頭側には壁部１１ａが設けられており、第２記録ヘッド９ｂの復方向Ｂ２において先頭側には壁部１１ｂが設けられている。壁部１１ａ及び壁部１１ｂは、第１記録ヘッド９ａ及び第２記録ヘッド９ｂから吐出されたインク滴が第１記録ヘッド９ａ及び第２記録ヘッド９ｂが移動することにより生じる気流の影響により吐出されたインク滴が曲げられる飛行曲りを抑制するためのものである。ただし、このような構成に限定されない。
【００３３】
また、第１記録ヘッド９ａ及び第２記録ヘッド９ｂの往方向Ｂ１において先頭側には、センサー１２が設けられている。センサー１２は、対向するマルチヘッド６と被記録媒体Ｐとの間隔（ＰＧ）を測定するためのものである。  
本実施例の記録装置１は、制御部１３（図３参照）の制御により、センサー１２により測定されたＰＧに応じて、境界部２５のノズルＮから吐出する単位時間あたりのインク量を、往方向Ｂ１の記録と復方向Ｂ２の記録とで異ならせることができる。  
このため、ＰＧが大きい場合は、筋状の画質不良が発生しやすいので、境界部２５のノズルＮから吐出する単位時間当たりのインク量を、往方向Ｂ１の記録と復方向Ｂ２の記録とで大きく異ならせることができる。一方、ＰＧが狭い場合は、筋状の画質不良が発生しにくいので、境界部２５のノズルＮから吐出する単位時間当たりのインク量を、往方向Ｂ１の記録と復方向Ｂ２の記録とで小さく異ならせる又は同じにすることができる。
【００３４】
上記で説明した通り、本実施例のマルチヘッド６は、マルチヘッド６の往復移動方向Ｂにおいて対称にはなっていない。なお、一般的なマルチヘッドも、本実施例のマルチヘッド６のように、往復移動方向において対称にはなっていない。
【００３５】
次に、本実施例の記録装置１における電気的な構成について説明する。  
図３は、本実施例の記録装置１のブロック図である。  
制御部１３には、記録装置１の全体の制御を司るＣＰＵ１４が設けられている。ＣＰＵ１４は、システムバス１５を介して、ＣＰＵ１４が実行する各種制御プログラムやメンテナンスシーケンス等を格納したＲＯＭ１６と、データを一時的に格納可能なＲＡＭ１７と、接続されている。
【００３６】
また、ＣＰＵ１４は、システムバス１５を介して、マルチヘッド６の第１記録ヘッド９ａ及び第２記録ヘッド９ｂを駆動するためのヘッド駆動部１８と接続されている。  
また、ＣＰＵ１４は、システムバス１５を介して、キャリッジ５を移動させるためのキャリッジモーター２０、被記録媒体Ｐを支持して搬送する粘着性ベルト２の移動機構としての駆動ローラー３の駆動源である搬送モーター２１、巻取部８の駆動源である巻取モーター２２、を駆動させるためのモーター駆動部１９と接続されている。  
さらに、ＣＰＵ１４は、システムバス１５を介して、入出力部２３と接続されており、入出力部２３は、センサー１２、記録データ等を記録装置１に入力する外部装置であるＰＣ２４、と接続されている。
【００３７】
次に、筋状の画質不良が発生するメカニズムについて説明する。  
図４及び図５は、筋状の画質不良が発生するメカニズムを説明するための図である。  
図２で表されるように、本実施例のマルチヘッド６は、マルチヘッド６の往復移動方向Ｂにおいて対称にはなっていない。このため、往方向Ｂ１の記録と復方向Ｂ２の記録とで、第１記録ヘッド９ａ及び第２記録ヘッド９ｂの移動によって発生する気流が変化し、第１記録ヘッド９ａ及び第２記録ヘッド９ｂのノズル列１０ａ及び１０ｂから吐出されるインク滴の飛行曲りの状態が変わる為、搬送方向Ａに沿う方向の吐出幅が変わる場合がある。図４はこのことを模式的に表した図であり、図４（Ａ）は理想的な吐出状態で吐出幅Ｌ１はノズル列幅とほぼ等しい状態、図４（Ｂ）は吐出幅が変化した吐出状態で、吐出幅Ｌ２はノズル列幅より長くなった状態を表している。
【００３８】
図４（Ａ）と図４（Ｂ）とを比較するとわかるように、図４（Ａ）における吐出幅Ｌ１に比べ、図４（Ｂ）における吐出幅Ｌ２は大きくなっている。マルチヘッド６の往復移動方向Ｂにおいてレイアウトが対称になっていないと気流の状態が変化する為、例えば、往方向Ｂ１の記録においては図４（Ａ）で表される吐出幅Ｌ１となるが、復方向Ｂ２の記録においては図４（Ｂ）で表される吐出幅Ｌ２となる場合がある。
【００３９】
一般的な記録装置においては、往方向Ｂ１の記録又は復方向Ｂ２の記録のいずれかにより、第１記録ヘッド９ａ及び第２記録ヘッド９ｂから吐出されるインクのドットの位置調整を行う。しかしながら、往方向Ｂ１の記録と復方向Ｂ２の記録とで前記吐出幅が異なっていると、往方向Ｂ１又は復方向Ｂ２のうちの前記ドットの位置調整を行った方向の記録の際は前記ドットの位置は正確な位置になるが、逆方向の記録の際は前記ドットの位置は正確な位置にならない。
【００４０】
図５は、往方向Ｂ１の記録においては図４（Ａ）で表される吐出幅Ｌ１となるが、復方向Ｂ２の記録においては図４（Ｂ）で表される吐出幅Ｌ２となる（吐出幅Ｌ１より長い）場合であって、往方向Ｂ１の記録によりドットの位置調整を行った場合に、復方向Ｂ２の記録で筋状の画質不良（黒筋Ｄ）が発生した状態を表している。  
また、図５は、記録装置１で記録された記録画像Ｉにおいて、記録画像Ｉのどこの部分が、第１記録ヘッド９ａ及び第２記録ヘッド９ｂのどの段階の記録走査（ｐａｓｓ）で記録された部分なのかを対応させている。  
なお、記録画像Ｉは同一部分を４回記録走査させることにより完成されるものである。
【００４１】
図５の記録画像Ｉのうちの画像部分Ｉ１は、１ｐａｓｓ目となる往方向Ｂ１の記録で第２記録ヘッド９ｂにより記録され、２ｐａｓｓ目となる復方向Ｂ２の記録で第２記録ヘッド９ｂにより記録され、３ｐａｓｓ目となる往方向Ｂ１の記録で第１記録ヘッド９ａにより記録され、４ｐａｓｓ目となる復方向Ｂ２の記録で第１記録ヘッド９ａにより記録される部分である。  
また、記録画像Ｉのうちの画像部分Ｉ２は、２ｐａｓｓ目となる復方向Ｂ２の記録で第２記録ヘッド９ｂにより記録され、３ｐａｓｓ目となる往方向Ｂ１の記録で第２記録ヘッド９ｂにより記録され、４ｐａｓｓ目となる復方向Ｂ２の記録で第１記録ヘッド９ａにより記録され、５ｐａｓｓ目となる往方向Ｂ１の記録で第１記録ヘッド９ａにより記録される部分である。  
また、記録画像Ｉのうちの画像部分Ｉ３は、３ｐａｓｓ目となる往方向Ｂ１の記録で第２記録ヘッド９ｂにより記録され、４ｐａｓｓ目となる復方向Ｂ２の記録で第２記録ヘッド９ｂにより記録され、５ｐａｓｓ目となる往方向Ｂ１の記録で第１記録ヘッド９ａにより記録され、６ｐａｓｓ目となる復方向Ｂ２の記録で第１記録ヘッド９ａにより記録される部分である。  
そして、画像部分Ｉ４から画像部分Ｉ９までについても、上記に倣い、図５で表される対応に従って記録される。
【００４２】
上記のように、記録画像Ｉは、往方向Ｂ１の記録における吐出幅よりも復方向Ｂ２の記録における吐出幅が長い場合であって、往方向Ｂ１の記録によりドットの位置調整を行った場合に形成された記録画像である。このため、復方向Ｂ２の記録を行った際に第１記録ヘッド９ａと第２記録ヘッド９ｂとの境界部２５で記録された記録画像Ｉにおける部分に、黒筋Ｄが発生している。  
具体的には、４ｐａｓｓ目となる復方向Ｂ２の記録の際に境界部２５で記録された、画像部分Ｉ２と画像部分Ｉ３の境界に、黒筋Ｄが発生している。  
また、６ｐａｓｓ目となる復方向Ｂ２の記録の際に境界部２５で記録された、画像部分Ｉ４と画像部分Ｉ５の境界に、黒筋Ｄが発生している。  
また、８ｐａｓｓ目となる復方向Ｂ２の記録の際に境界部２５で記録された、画像部分Ｉ６と画像部分Ｉ７の境界に、黒筋Ｄが発生している。  
また、１０ｐａｓｓ目となる復方向Ｂ２の記録の際に境界部２５で記録された、画像部分Ｉ８と画像部分Ｉ９の境界に、黒筋Ｄが発生している。
【００４３】
なお、図５では、記録画像Ｉは、往方向Ｂ１の記録における吐出幅よりも復方向Ｂ２の記録における吐出幅が長い場合であって、往方向Ｂ１の記録によりドットの位置調整を行った場合に形成された記録画像であったため、復方向Ｂ２において境界部２５で記録された記録画像Ｉにおける部分に、黒筋Ｄが発生した。  
一方、往方向Ｂ１の記録における吐出幅よりも復方向Ｂ２の記録における吐出幅が長い場合であって、復方向Ｂ２の記録によりドットの位置調整を行った場合に形成された記録画像は、往方向Ｂ１において境界部２５で記録された記録画像Ｉにおける部分に、白筋が発生する。  
また、往方向Ｂ１の記録における吐出幅よりも復方向Ｂ２の記録における吐出幅が短い場合であって、往方向Ｂ１の記録によりドットの位置調整を行った場合に形成された記録画像も、復方向Ｂ２において境界部２５で記録された記録画像Ｉにおける部分に、白筋が発生する。  
また、往方向Ｂ１の記録における吐出幅よりも復方向Ｂ２の記録における吐出幅が短い場合であって、復方向Ｂ２の記録によりドットの位置調整を行った場合に形成された記録画像は、往方向Ｂ１において境界部２５で記録された記録画像Ｉにおける部分に、黒筋が発生する。
【００４４】
次に、本実施例の記録装置１において、筋状の画質不良を抑制するために、境界部２５のノズルＮから吐出する単位時間当たりのインク量を、前記双方向記録における一方向の記録と前記双方向記録における他方向の記録とで、具体的にどのように異ならせるかを説明する。ただし、下記の実施例に限定されない。  
最初に、黒筋Ｄを抑制するために、境界部２５のノズルＮから吐出する単位時間当たりのインク量を、前記双方向記録における一方向の記録と前記双方向記録における他方向の記録とで、具体的にどのように異ならせるかを説明する。  
図６は黒筋Ｄの概念図であり、図７は黒筋Ｄを抑制するために境界部２５における使用ノズルを表す図である。
【００４５】
図７（Ａ）は、通常の状態において、第１記録ヘッド９ａ及び第２記録ヘッド９ｂのノズルＮのうち、境界部２５において使用する使用ノズルＮｕと使用しない不使用ノズルＮｎとを表している。上記のように、本実施例のマルチヘッド６は、第１記録ヘッド９ａ及び第２記録ヘッド９ｂとで、搬送方向Ａに交差する方向（Ｂ１またはＢ２の方向）からみて一部が重なるように配置されているオーバーラップ領域Ｏが設けられている。本実施例のマルチヘッド６におけるオーバーラップ領域Ｏは、４つのノズルＮ分に相当する。
【００４６】
図７（Ａ）で表される通常の状態において、図６で表されるように、マルチヘッド６の往復移動方向Ｂに沿って黒筋Ｄが発生していた場合、本実施例の記録装置１は、黒筋Ｄが発生した方向の記録において、図７（Ｂ）、図７（Ｃ）及び図７（Ｄ）で表されるような使用ノズルとすることができる。  
具体的には、図７（Ｂ）は、第２記録ヘッド９ｂにおける不使用ノズルＮｎを、端部から連続する４つのノズルＮにし、図７（Ａ）の通常の状態から増やしている。  
また、図７（Ｃ）も、第２記録ヘッド９ｂにおける不使用ノズルＮｎを図７（Ａ）の通常の状態から増やしている。ただし、端部から連続するノズルＮを不使用ノズルＮｎとするのではなく、端部から不連続に不使用ノズルＮｎを設けている。  
また、図７（Ｄ）は、第１記録ヘッド９ａ及び第２記録ヘッド９ｂの両方において、不使用ノズルＮｎを、図７（Ａ）の通常の状態から増やしている。  
言い換えると、図７（Ｂ）、図７（Ｃ）及び図７（Ｄ）の場合はいずれにおいても図７（Ａ）の通常の状態に比べて、境界部２５におけるノズルＮの使用率を減らしている
【００４７】
なお、本実施例では、制御部１３の制御により、不使用ノズルＮｎとされたノズルＮからはインクを吐出させなくすることにより不使用ノズルＮｎを設けてノズルＮｍの使用率を減らしている。ただし、不使用ノズルＮｎとされたノズルＮからインクを吐出させなくする構成ではなく、該ノズルＮからインクを吐出する頻度、または１回の吐出動作で吐出するインク滴の重量を減らす構成によって、境界部２５のノズルＮから吐出する単位時間あたりのインク量を減らす構成としてもよい。
【００４８】
次に、白筋Ｌを抑制するために、境界部２５のノズルＮから吐出する単位時間当たりのインク量を、前記双方向記録における一方向の記録と前記双方向記録における他方向の記録とで、具体的にどのように異ならせるかを説明する。  
図８は白筋Ｌの概念図であり、図９は白筋Ｌを抑制するために境界部２５における使用ノズルを表す図である。
【００４９】
図９（Ａ）は、図７（Ａ）と同じであり、通常の状態において、第１記録ヘッド９ａ及び第２記録ヘッド９ｂのノズルＮのうち、境界部２５において使用する使用ノズルＮｕと使用しない不使用ノズルＮｎとを表している。  
図９（Ａ）で表される通常の状態において、図８で表されるように、マルチヘッド６の往復移動方向Ｂに沿って白筋Ｌが発生していた場合、本実施例の記録装置１は、白筋Ｌが発生した方向の記録において、図９（Ｂ）、図９（Ｃ）及び図９（Ｄ）で表されるような使用ノズルとすることができる。  
具体的には、図９（Ｂ）は、第１記録ヘッド９ａにおける使用ノズルＮｕを、図９（Ａ）の通常の状態から増やしている。  
また、図９（Ｃ）及び図９（Ｄ）は、第１記録ヘッド９ａ及び第２記録ヘッド９ｂの両方において、使用ノズルＮｕを、図９（Ａ）の通常の状態から増やしている。詳細には、図９（Ｃ）は、第１記録ヘッド９ａ及び第２記録ヘッド９ｂの両方において、端部のノズルＮを使用ノズルＮｕとしている。一方、図９（Ｄ）は、第１記録ヘッド９ａ及び第２記録ヘッド９ｂの両方において、端部ではないノズルＮを使用ノズルＮｕとしている。  
言い換えると、図９（Ｂ）、図９（Ｃ）及び図９（Ｄ）の場合はいずれにおいても図９（Ａ）の通常の状態に比べて、境界部２５におけるノズルＮの使用率を増加させている
【００５０】
なお、本実施例では、制御部１３の制御により、新たに使用ノズルＮｕとされたノズルＮからは通常の吐出頻度でインクを吐出させている。ただし、新たに使用ノズルＮｕとされたノズルＮからのインク吐出頻度を、元々使用ノズルＮｕとされたノズルＮからのインク吐出頻度よりも少なくする又は多くする構成としてもよい。
【００５１】
上記のように、本実施例の記録装置１は、制御部１３の制御により、第１記録ヘッド９ａ及び第２記録ヘッド９ｂの少なくとも一方において、マルチヘッド６の往復移動方向Ｂのうちの一方向の記録の際、境界部２５のノズルＮから吐出する単位時間当たりのインク量を境界部２５以外のノズルＮから吐出する単位時間当たりのインク量と異ならせることができる。  
ここで、「前記一方向の記録」とは、マルチヘッド６の双方向記録における往方向Ｂ１の記録又は復方向Ｂ２の記録の何れでもよい意味である。  
このため、特にインクのドットの位置調整を行った方向ではない方向の記録を該一方向とすることにより、マルチヘッドを用いて双方向記録を行う際、簡単で精度よく、筋状の画質不良が発生することを抑制することができる。
【００５２】
また、本実施例の記録装置１は、制御部１３の制御により、境界部２５のノズルＮから吐出する単位時間当たりのインク量は、マルチヘッド６のホームポジション側から他方側に向かう方向（マルチヘッド６の往復移動方向Ｂのうちの往方向Ｂ１）の記録の際よりも、逆方向（マルチヘッド６の往復移動方向Ｂのうちの復方向Ｂ２）の記録の際の方が多くすることができる。  
ここで、「マルチヘッド６のホームポジション」とは、マルチヘッド６の記録開始時における待機位置を意味する。  
このため、例えば、往方向Ｂ１の記録の際に黒筋が発生する場合に、往方向Ｂ１の記録の際に境界部２５のノズルＮから吐出する単位時間当たりのインク量を復方向Ｂ２の記録の際よりも少なくしてこれを解消することができる。一方、例えば、復方向Ｂ２の記録の際に白筋が発生する場合に、復方向Ｂ２の記録の際に境界部２５のノズルＮから吐出する単位時間当たりのインク量を往方向Ｂ１の記録の際よりも多くしてこれを解消することができる。
【００５３】
また、本実施例の記録装置１は、制御部１３の制御により、境界部２５のノズルＮから吐出する単位時間当たりのインク量は、マルチヘッド６のホームポジション側から他方側に向かう方向（マルチヘッド６の往復移動方向Ｂのうちの往方向Ｂ１）の記録の際よりも、逆方向（マルチヘッド６の往復移動方向Ｂのうちの復方向Ｂ２）の記録の際の方が少なくすることができる。  
このため、例えば、往方向Ｂ１の記録の際に白筋が発生する場合に、往方向Ｂ１の記録の際に境界部２５のノズルＮから吐出する単位時間当たりのインク量を復方向Ｂ２の記録の際よりも多くしてこれを解消することができる。一方、例えば、復方向Ｂ２の記録の際に黒筋が発生する場合に、復方向Ｂ２の記録の際に境界部２５のノズルＮから吐出する単位時間当たりのインク量を往方向Ｂ１の記録の際よりも少なくしてこれを解消することができる。
【００５４】
また、本実施例の記録装置１を用いて、インクを吐出するノズルＮが被記録媒体Ｐの搬送方向Ａに並べられたノズル列１０ａ、１０ｂを有する第１記録ヘッド９ａと第２記録ヘッド９ｂとが、前記記録媒体の搬送方向に交差する方向に並設され、且つ該第１記録ヘッド９ａのノズル列１０ａと該第２記録ヘッド９ｂのノズル列１０ｂとが搬送方向Ａに近接する境界部２５を構成するように配置し、第１記録ヘッド９ａ及び第２記録ヘッド９ｂが、搬送方向Ａと交差する方向Ｂに往復移動して双方向記録をするマルチヘッド６を用いて、境界部２５のノズルＮから吐出する単位時間当たりのインク量を、前記双方向記録における一方向の記録と前記双方向記録における他方向の記録とで異ならせて前記双方向記録をすることができる。  
こうすることにより、マルチヘッド６を用いて双方向記録を行う際の筋状の画質不良を抑制することができる。
【符号の説明】
【００５５】
１  記録装置、２  粘着性ベルト、３  搬送ローラー、４  従動ローラー、
５  キャリッジ、６  マルチヘッド、７  従動ローラー、８  巻取部、
９ａ  第１記録ヘッド、９ｂ  第２記録ヘッド、１０ａ  ノズル列、
１０ｂ  ノズル列、１１ａ  壁部、１１ｂ  壁部、１２センサー、１３  制御部、
１４  ＣＰＵ、１５  システムバス、１６  ＲＯＭ、１７  ＲＡＭ、
１８  ヘッド駆動部、１９  モーター駆動部、２０  キャリッジモーター、
２１  搬送モーター、２２  巻取モーター、２３  入出力部、２４  ＰＣ、
２５  境界部、Ｄ  黒筋、Ｌ  白筋、Ｏ  オーバーラップ領域部、Ｐ  被記録媒体
【図１】
2015066716.tif 000003
【図２】
2015066716.tif 000004
【図３】
2015066716.tif 000005
【図４】
2015066716.tif 000006
【図５】
2015066716.tif 000007
【図６】
2015066716.tif 000008
【図７】
2015066716.tif 000009
【図８】
2015066716.tif 000010
【図９】
2015066716.tif 000011